(57)【要約】【課題】種々のインク滴の噴射の態様を柔軟に設定可能にすることを可能とする。【解決手段】インクジェットヘッド１００は、スペーサ２０と圧電体１０が交互に積層された積層体から構成される。スペーサ２０に設けられたインク流路形成用切溝３２と圧電体１０により、インク流路３３が確定され、インク流路３３におけるインクの流れに沿う方向において、電圧パルスの印加により圧電体１０を振動させる電極１４（１４Ａ、１４Ｂ）が少なくとも二つ設けられる。少なくとも二つの電極１４Ａ、１４Ｂのうち、インクの流れの下流側に設けられた下流側電極１４Ａにより電圧パルスが印加される間に、インクの流れの上流側に設けられた上流側電極１４Ｂにより電圧パルスが印加される、【選択図】図２
2013212592.tif 000002
【特許請求の範囲】
【請求項１】
スペーサと圧電体が交互に積層された積層体から構成されるインクジェットヘッドであって、
前記スペーサに設けられた溝と前記圧電体により、インク流路が画定され、
前記インク流路におけるインクの流れに沿う方向において、電圧パルスの印加により前記圧電体を振動させる電極が少なくとも二つ設けられ、
前記少なくとも二つの電極のうち、インクの流れの下流側に設けられた下流側電極により電圧パルスが印加される間に、インクの流れの上流側に設けられた上流側電極により電圧パルスが印加される、
インクジェットヘッド。
【請求項２】
請求項１に記載のインクジェットヘッドであって、
電圧パルスが、前記圧電体の電圧被印加部分を中立状態から第１の最大変形状態に変形させる第１のピークと、前記圧電体の電圧被印加部分を中立状態から第２の最大変形状態に変形させる第２のピークとを含み、
前記上流側電極における第１のピークの減少開始時刻ｔ１ａが、前記下流側電極における第１のピークの減少開始時刻Ｔ１ａと同じか少なくとも後で、かつ前記下流側電極における第２のピークの安定化開始時刻Ｔ１ｂと同じか少なくとも先である、インクジェットヘッド。
【請求項３】
請求項１に記載のインクジェットヘッドであって、
電圧パルスの一周期の間において、前記上流側電極における印加電圧がゼロになる時刻ｔ１が、前記下流側電極における印加電圧がゼロになる時刻Ｔ１と同じか少なくとも後である、インクジェットヘッド。
【請求項４】
請求項１に記載のインクジェットヘッドであって、
前記上流側電極の電圧パルスの一周期の時間長さλ２と、前記下流側電極の電圧パルスの一周期の時間長さλ１が、１／３λ１≦λ２≦２／３λ１の関係を充足する、インクジェットヘッド。
【請求項５】
請求項１から４のいずれか１項に記載のインクジェットヘッドであって、
前記下流側電極は、前記インク流路におけるインクの流れに沿う方向と垂直な方向に並ぶように配置された、第１の下流側電極と第２の下流側電極とを含み、
前記上流流側電極は、前記インク流路におけるインクの流れに沿う方向と垂直な方向に並ぶように配置された、第１の上流側電極と第２の上流側電極とを含む、インクジェットヘッド。
【請求項６】
スペーサと圧電体が交互に積層された積層体から構成されるインクジェットヘッドであって、
前記スペーサに設けられた溝と前記圧電体により、インク流路が確定され、
前記インク流路におけるインクの流れに沿う方向において、インクの流れの下流側に設けられた下流側電極と、インクの流れの上流側に設けられた上流側電極とが少なくとも設けられ、
前記下流側電極は、前記インク流路におけるインクの流れに沿う方向と垂直な方向に並ぶように配置された、第１の下流側電極と第２の下流側電極とを含み、
前記上流流側電極は、前記インク流路におけるインクの流れに沿う方向と垂直な方向に並ぶように配置された、第１の上流側電極と第２の上流側電極とを含み、
前記第１の下流側電極および前記第２の下流側電極によって引き起こされる前記圧電体の最大変位位置と、前記第１の上流側電極および前記第２の上流側電極によって引き起こされる前記圧電体の最大変位位置とが、前記インク流路の長手方向に沿った中心線上に存在する、インクジェットヘッド。
【請求項７】
スペーサと圧電体が交互に積層された積層体から構成されるインクジェットヘッドの駆動方法であって、
前記インクジェットヘッドにおいて、前記スペーサに設けられた溝と前記圧電体により、インク流路が画定され、前記インク流路におけるインクの流れに沿う方向において、電圧パルスの印加により前記圧電体を振動させる電極が少なくとも二つ設けられ、
前記少なくとも二つの電極のうち、インクの流れの下流側に設けられた下流側電極により電圧パルスを前記圧電体に印加する間に、インクの流れの上流側に設けられた上流側電極により電圧パルスを前記圧電体に印加する、
インクジェットヘッドの駆動方法。
【請求項８】
スペーサと圧電体が交互に積層された積層体から構成されるインクジェットヘッドを駆動するための駆動プログラムであって、
前記インクジェットヘッドにおいて、前記スペーサに設けられた溝と前記圧電体により、インク流路が画定され、前記インク流路におけるインクの流れに沿う方向において、電圧パルスの印加により前記圧電体を振動させる電極が少なくとも二つ設けられ、
前記少なくとも二つの電極のうち、インクの流れの下流側に設けられた下流側電極により電圧パルスを前記圧電体に印加させる間に、インクの流れの上流側に設けられた上流側電極により電圧パルスを前記圧電体に印加させる、
インクジェットヘッドの駆動プログラム。
【発明の詳細な説明】
【技術分野】
【０００１】
本開示は、インクジェットプリンタ用のインクジェットヘッドに関する。
【背景技術】
【０００２】
インクを噴射するタイプの印刷機、いわゆるインクジェットプリンタは様々な方式が提案されている。その一つとして、圧電素子に電圧を加えるとその圧電素子が伸縮し、それに合わせて振動板が振動することによって、ノズルからインク滴が追い出されるという構造を有するピエゾ（圧電素子）方式などがある。このピエゾ方式のインクジェットヘッドとして、図９(ａ)に示すインクジェットヘッド１８００は、電圧Ｖを加えると伸縮する圧電素子１８０１からなる振動板１８０２を、基板１８０３に凹設したインク室１８０４に対して対面又は側面に接合する構成である。そして、図９(ｂ)に示すように、インクジェットヘッド１８００は、インク供給路１８０５から供給されたインクに振動板１８０２の振動を伝え、インク噴射口１８０６からインク滴１８０７を噴射する。
【先行技術文献】
【特許文献】
【０００３】
【特許文献１】特開２００７−１１８２８５号公報
【特許文献２】特開２０１１−０３７２６０号公報
【特許文献３】特開平９−１７９２号公報
【発明の概要】
【発明が解決しようとする課題】
【０００４】
インクジェットプリンタの用途、適用産業分野は今後さらなる進展、拡大が見込まれている。このため、用途、インクが塗布される対象物、インクの種類等、種々の要素に応じて、インク滴の噴射の態様を柔軟に設定可能にすることが求められている。
【０００５】
本開示は、インク滴の噴射態様をより柔軟に調整可能にするインクジェットヘッドの改良に関する。
【課題を解決するための手段】
【０００６】
本発明の一形態として、スペーサと圧電体が交互に積層された積層体から構成されるインクジェットヘッドであって、前記スペーサに設けられた溝と前記圧電体により、インク流路が画定され、前記インク流路におけるインクの流れに沿う方向において、電圧パルスの印加により前記圧電体を振動させる電極が少なくとも二つ設けられ、前記少なくとも二つの電極のうち、インクの流れの下流側に設けられた下流側電極により電圧パルスが印加される間に、インクの流れの上流側に設けられた上流側電極により電圧パルスが印加される。
【０００７】
電圧パルスが、前記圧電体の電圧被印加部分を中立状態から第１の最大変形状態に変形させる第１のピークと、前記圧電体の電圧被印加部分を中立状態から第２の最大変形状態に変形させる第２のピークとを含み、前記上流側電極における第１のピークの減少開始時刻ｔ１ａが、前記下流側電極における第１のピークの減少開始時刻Ｔ１ａと同じか少なくとも後で、かつ前記下流側電極における第２のピークの安定化開始時刻Ｔ１ｂと同じか少なくとも先である、ように構成してもよい。
【０００８】
電圧パルスの一周期の間において、前記上流側電極における印加電圧がゼロになる時刻ｔ１が、前記下流側電極における印加電圧がゼロになる時刻Ｔ１と同じか少なくとも後である、ように構成してもよい。
【０００９】
前記上流側電極の電圧パルスの一周期の時間長さλ２と、前記下流側電極の電圧パルスの一周期の時間長さλ１が、１／３λ１≦λ２≦２／３λ１の関係を充足する、ように構成してもよい。
【００１０】
前記下流側電極は、前記インク流路におけるインクの流れに沿う方向と垂直な方向に並ぶように配置された、第１の下流側電極と第２の下流側電極とを含み、前記上流流側電極は、前記インク流路におけるインクの流れに沿う方向と垂直な方向に並ぶように配置された、第１の上流側電極と第２の上流側電極とを含む、ように構成してもよい。   
【００１１】
本発明の一形態として、スペーサと圧電体が交互に積層された積層体から構成されるインクジェットヘッドであって、前記スペーサに設けられた溝と前記圧電体により、インク流路が画定され、前記インク流路におけるインクの流れに沿う方向において、インクの流れの下流側に設けられた下流側電極と、インクの流れの上流側に設けられた上流側電極とが少なくとも設けられ、前記下流側電極は、前記インク流路におけるインクの流れに沿う方向と垂直な方向に並ぶように配置された、第１の下流側電極と第２の下流側電極とを含み、前記上流流側電極は、前記インク流路におけるインクの流れに沿う方向と垂直な方向に並ぶように配置された、第１の上流側電極と第２の上流側電極とを含み、前記第１の下流側電極および前記第２の下流側電極によって引き起こされる前記圧電体の最大変位位置と、前記第１の上流側電極および前記第２の上流側電極によって引き起こされる前記圧電体の最大変位位置とが、前記インク流路の長手方向に沿った中心線上に存在する。
【００１２】
本発明の一態様として、上記したインクジェットヘッドを駆動するための駆動方法およびプログラムがある。
【発明の効果】
【００１３】
本発明に係るインクジェットヘッドによれば、インク流路のインクの流れに沿って異なる位置に設けられた電極により電圧が印加可能となり、種々のインク滴の噴射の態様を柔軟に設定可能にすることが可能となる。
【図面の簡単な説明】
【００１４】
【図１】波の位相の重ね合わせを示す概念図
【図２】（ａ）本発明の実施の形態に係るインクジェットヘッドの斜視図、（ｂ）当該インクジェットヘッドに用いられる圧電体の斜視図
【図３】実施の形態に係るインクジェットヘッドに用いられるスペーサの平面図
【図４】（ａ）図２（ａ）の矢印Ａ方向から見たインクジェットヘッド内の圧電体の平面図、（ｂ）図２（ａ）の矢印Ｂ方向から見たインクジェットヘッド内のインク供給路を示す図
【図５】図２（ａ）の矢印Ｃ方向から見たインクジェットヘッド内の圧電体に印加される電圧による作用を説明する図
【図６】等高線により示した圧電体の変形状態を含む圧電体の平面図
【図７】実施の形態に係るインクジェットヘッドを含むインクジェットプリンタの回路図
【図８】電圧印加電極により印加される電圧パルスのタイミングチャートと電圧パルスの諸条件を示す図
【図９】（ａ）従来のインクジェットヘッドの原理を示す概略図、（ｂ）（ａ）に示す従来のインクジェットヘッドの作用を示す概略図
【発明を実施するための形態】
【００１５】
以下、本発明の一実施形態のインクジェットヘッドについて、図面を用いて詳細に説明する。図１は、自然界において観察される波の位相の重ね合わせを示す模式図である。
【００１６】
図１（ａ）、図１（ｂ）に示すような波が合成されると、図１（ｃ）に示すような波が生ずる。これは、異なる波の重なり、干渉により新たな波が生じ、場合によっては大きな位相、エネルギーを持つ新たな波が合成されることを示している。
【００１７】
このような自然界で生ずる現象から、発明者はインクジェットヘッドのインク滴の噴射に関する改良に想到した。そして、当該改良技術により、インク滴の噴射態様を調整可能にすることに成功した。
【００１８】
圧電素子の変位圧力によりインク液を噴射するいわゆるピエゾ方式（piezo方式）のインクジェットヘッドは、インク供給路に存在するインク液に圧力を加えてノズルからインク液を噴射させる。ここで、圧電素子を複数設けることにより、インク液に複数の圧力を加える事ができることとなる。そして、複数の圧電素子各々からの圧力の大きさ、周波数などのパラメータを変化させることで、インク滴の噴射態様を調整することが可能となる。
【００１９】
すなわち、本発明においては、図１（ａ）、図１（ｂ）に示すような波を生じさせる圧力を圧電素子を用いて人為的にインク液に発生させる。圧電素子は予め制御可能であるため、図１（ｃ）に示すような波を制御可能な状態で生成することが可能となる。このことは、インク滴の噴射態様を調整可能にする技術の達成につながるものである。このような思想は引用文献１から３には開示も示唆もされていない。例えば、特許文献１、２では、電極による変位部分は、１キャビティ（チャンネル）あたり１箇所のみに設けられている。また、特許文献３では、２箇所の電極（駆動部）を用いた構造は開示されているが、２つの電極による駆動信号の制御によるインク液の吐出制御については考慮されていない。
【００２０】
図２は、インクジェットプリンタに適用される実施の形態に係るインクジェットヘッドを示す。図２（ａ）に示すように、本実施形態のインクジェットヘッド１００は、圧電体（圧電素子）１０とスペーサ２０が横方向（図２（ａ）の矢印Ａ）に複数積層されて構成された積層体により構成される。尚、図２（ａ）では、スペーサ２０の後方部分の図示は省略されており、実際のスペーサ２０は図３に示された形状を有する。また、圧電体１０とスペーサ２０の先端部分に装着されるノズルプレート４０の図示も省略されており、図４、図６、図７にはノズルプレート４０が示されている。
【００２１】
図２（ｂ）は圧電体１０の斜視図を示す。圧電体１０は板状に成形される。圧電体１０は、加えられた力を電圧に変換する、または電圧を力に変換する、圧電効果を利用した受動素子であり、ピエゾ素子（piezoelectric element）ともいわれる。圧電体１０は、本体としての振動板１２と、振動板１２の表面に配置された電圧（電圧パルス）を印加するための４つの電圧印加用電極１４（１４Ａ、１４Ｂ、１４Ｃ、１４Ｄ）とを含む。
【００２２】
振動板１２は、ＰＺＴ（Ｐｂ（Ｚｒ、Ｔｉ）Ｏ３；ジルコニウム酸−チタン酸鉛）を主成分とする圧電セラミックから形成されている。振動板１２に適用できる圧電セラミックの条件としては、（１）圧電定数、及び電気機械結合係数が大きく、（２）キュリー点が高く、（３）誘電率が低く、（４）誘電的・機械的な損失が小さい材料であれば良い。例えば、Ｐｂ（Ｚｒ、Ｔｉ）Ｏ３セラミックとして、Ｐｂ（Ｍｇ１／３Ｎｂ２／３）Ｏ３−ＰｂＺｒＯ３−ＰｂＴｉＯ３、Ｐｂ（Ｙ１／３Ｎｂ１／３）Ｏ３−ＰｂＺｒＯ３−ＰｂＴｉＯ３、Ｐｂ（Ｍｎ１／３Ｎｂ１／３）Ｏ３−ＰｂＺｒＯ３−ＰｂＴｉＯ３、Ｐｂ（Ｃｏ１／３Ｎｂ１／３）Ｏ３−ＰｂＺｒＯ３−ＰｂＴｉＯ３などが挙げられる。これら以外にも、例えば、Ｓｒ（Ｋ０．２５・Ｎｂ０．７５）Ｏ３やＳｒ（Ｗ０．２５・Ｎｂ０．７５）Ｏ３などの圧電材料をＰＺＴに固溶させた組成でも良いが、特に材料の種類は限定されない。
【００２３】
圧電体１０の表面には電圧を印加するための複数の電圧印加用の電極１４（１４Ａ、１４Ｂ、１４Ｃ、１４Ｄ）が、後述するインク流路（オリフィス）３３に沿った位置に配置されている。電極１４は、図２（ｂ）では示されていない反対側の面にも設けられている。尚、本実施形態では電極１４の形状は平面視Ｌ字状を呈するが、その機能を達成することが出来なら、その形状は平面視Ｔ等であってもよく、形状は特に限定されない。
【００２４】
電極１４は、例えば、銀ペーストを圧電材料に塗布し、５００〜８００℃で焼き付ける方法によって形成されるが、それ以外にも無電解メッキによる電極作成法、真空蒸着法、スパッタによって電極を形成することができ、形成方法の種類は特に限定されない。電極１４の材料も、銀以外に金、ニッケル、銅、チタン、亜鉛、アルミニウム等の金属を単層もしくは２層以上の複数層で形成することができ、材料の種類は限定されない。電極１４の厚さは、例えば０．１〜５μｍの範囲に設定される。
【００２５】
さらに、圧電体１０の振動板１２には、楕円形のインク供給口３５が形成されているが、インク供給口３５の形状は特に限定されない。後述するスペーサ２０にもインク供給口３５が設けられており、インクジェットプリンタの本体側に設けられたインクタンクからインクがインク供給口３５に供給され、さらにインク供給口３５から後述するインク流路３３へインクが供給される。
【００２６】
図２（ａ）、図３に示すように、スペーサ２０は、圧電体１０と積層された際に、インク流路３３が画定可能なように、インク供給口３５から連通したインク流路形成用切溝３２が形成されている。インク流路３３を形成するインク流路形成用切溝３２の幅（キャビティー幅）は、例えば３００μｍから１８００μｍの範囲に設定される。  
【００２７】
さらに、インク流路形成用切溝３２の両側の辺には、４つの給電部配置用凹部２１（２１Ａ、２１Ｂ、２１Ｃ、２１Ｄ）が形成されている。給電部配置用凹部２１には、圧電体１０の電極１４に電流を供給するための図示せぬ給電部が設けられる。スペーサ２０と圧電体１０との積層時に、当該給電部は電極１４に隣接し、電極１４に電流を供給する。圧電体１０の電極１４の数は合計４つのため、給電部配置用凹部２１も４つ設けられている。ただし、電極１４に電流を供給可能ならば、給電部配置用凹部２１の配置場所は特に限定はされない。
【００２８】
スペーサ２０の材料として、絶縁性樹脂、金属、セラミックス、無機材料等が用いられるが特に限定はされない。また、これらの材料は、単体で用いても良く、２種類以上の材料を複合化した複合体で用いても良い。
【００２９】
なお、スペーサ２０の材料である絶縁性樹脂として、例えば、熱可塑性樹脂、熱硬化性樹脂、感光性樹脂、さらにこれらの複合樹脂等を用いることができる。
【００３０】
なお、スペーサ２０の材料である熱可塑性樹脂として、例えば、ＡＢＳ樹脂、ポリイミド、ポリアミド、ポリエステル等を用いることができる。
【００３１】
なお、スペーサ２０の材料である熱硬化性樹脂として、例えば、エポキシ樹脂、フェノール樹脂、ポリイミド樹脂、アクリル樹脂等を用いることができる。
【００３２】
なお、スペーサ２０の材料である金属として、例えば、銅、ニッケル、亜鉛、アルミニウム、ＳＵＳ、コバール、４２アロイ、鉄、チタン、クロム等の単体、又はそれらの合金を用いることができる。
【００３３】
なお、スペーサ２０の材料であるセラミックスとして、例えば、ガラスセラミックや、アルミナ、ムライト、窒化アルミニウム、炭化珪素等を用いることができる。無機材料としては、例えば、Ｓｉや、ＳｉＯ２、炭素（カーバイト等を含む）等が含有された材料を用いることができる。
【００３４】
ここで、スペーサ２０に用いる材料に要求される基本的な特性としては、（１）少なくともインク流路形成用切溝３２が形成され得ること、（２）平坦性に優れること、（３）スペーサ２０に用いる材料の表層に金属層が形成され得ること、である。
【００３５】
図２（ａ）に示すように、スペーサ２０と圧電体１０とが、それぞれ複数枚積層される。圧電体１０は、板状に成形されたスペーサ２０の両方の表面に接した状態で、スペーサ２０に設けたインク流路形成用切溝３２を塞ぐように配置され、スペーサ２０に互いに接合される。すなわち、スペーサ２０のインク流路形成用切溝３２の上壁および底壁と、各圧電体１０の対向する表面である側面とで囲まれた領域によってインク流路３３が形成される。この両側面に電極１４が露出している。
【００３６】
スペーサ２０と圧電体１０の接合には、半田、絶縁性接着剤、金属含有接着剤などを用いることができる。接着剤の形成方法としては、印刷、塗布、フィルムの貼り付け、スプレーによる噴射などが挙げられる。また、スペーサ２０と圧電体１０の接合には、いずれかの少なくとも一部に金属層を形成し、その金属層により接合を行う金属接合により行うこともできる。いずれにせよ、スペーサ２０と圧電体１０の接合方法は特定の種類のものには限定されない。
【００３７】
また、圧電体１０には、図示せぬ給電部を除いた部分を被覆する絶縁保護膜を設けることもできる。絶縁保護膜は、Ｓｉ３Ｎ４、ＳｉＯ２等の無機膜や、エポキシ系樹脂やＰＩなどの有機膜から形成され、スパッタリング、ＣＶＤ、塗布等の方法で圧電体上に設けられる。絶縁保護膜の厚さは、例えば０．０５〜５μｍ程度に設定される。
【００３８】
本実施形態においては、圧電素子材料（キュリー点：２１０℃）を、厚み７０±１μｍの板状に加工する際、マルチワイヤーソー・ダインシングソー・ラッピング等の加工装置を用いた。この加工により作製された圧電体１０の表面に、材料としてＴｉ、Ｃｒ、Ｎｉ、Ａｕ、Ｐｔを用いて、厚さ０．２μｍ以下の電極１４をリフトオフなどのフォトリソ法用いて作製した。他の加工方法として、レーザー加工、エッチング、イオンミリング装置を用いても作製できる。また、圧電素子材料と熱膨張系数が近いＳｉ材料（２〜３ｐｐｍ）、Ｓｉ材料を含んだシリカハイブリット低熱膨張ＰＩ材料ポミラン（４ｐｐｍ）などをエッチングしスペーサ２０を加工した。加工方法はレーザー、エッチング、ダイシング、放電加工、打ち抜きプレスなどが採用可能である。
【００３９】
電圧印加用の電極１４（１４Ａ、１４Ｂ、１４Ｃ、１４Ｄ）への電圧印加により、圧電体１０が変形し、インク流路３３の容積が変化する。インク流路３３の容積が小さくなると、インク流路３３内にあるインクが吐出される。また、インク流路３３の容積が大きくなると、図示せぬインクタンクから新たなインクが供給される。
【００４０】
図４（ａ）は、インクジェットヘッド１００内の圧電体１０の平面図を示し、図２（ａ）の矢印Ａ方向から見た図に相当する。図４（ｂ）は、図２（ａ）の矢印Ｂ方向から見た図に相当し、インクジェットヘッド１００内のインク流路３３を示す。スペーサ２０の図示は省略されている。また、図３と同様、インク供給口３５の周辺部分の図示も省略されている。インクジェットヘッド１００の先端にはノズルプレート４０が装着され、インク流路３３の最下流に対応する部分にノズル孔４０ａが設けられている。インク流路３３を流れたインクはノズル孔４０ａからインク滴の形で吐出され、印刷対象物に付着する。
【００４１】
電極１４（１４Ａ、１４Ｂ、１４Ｃ、１４Ｄ）への電圧の印加により、圧電体１０は変形するが、その変形方向は図４（ｂ）の点線の波線Ｂ１、Ｂ２で示されるように、図２（ａ）の矢印Ａ方向である。すなわち、インク流路３３の長手方向であってインクが流れる方向（図４（ａ）の矢印Ａ１、Ａの方向）とは垂直方向に、圧電体１０は変形する。
【００４２】
図４（ｂ）に示すように、インク流路３３の両側面に存在する電極１４（１４Ａ、１４Ｂ、１４Ｃ、１４Ｄ）への電圧の印加により、圧電体１０は変形するが、その変形方向は図４（ｂ）の点線の波線Ｂ１、Ｂ２で示されるように、図２（ａ）の矢印Ａ方向である。すなわち、インク流路３３の長手方向であってインクが流れる方向（図４（ａ）の矢印Ａ１、Ａの方向）とは垂直方向に、圧電体１０は変形する。尚、図４（ｂ）では、下流側においては、インク流路３３の両側に電極１４Ａ１と電極１４Ａ２が示され、上流側においては電極１４Ｂ１と電極１４Ｂ２が示されている。ただし、図４（ｂ）において紙面に垂直な方向における奥側には図示せぬ電極１４Ｃ１と電極１４Ｃ２が下流側に存在し、上流側においては電極１４Ｄ１と電極１４Ｄ２が存在する。
【００４３】
上述したように、インク流路におけるインクの流れに沿う方向（矢印Ａ１、Ａ２方向）において、電圧パルスの印加により圧電体１０を振動させる電極が少なくとも二つ（電極１４Ａと１４Ｂまたは電極１４Ｃと１４Ｄ）設けられる。インクの流れの上流側に電極１４Ｂ、１４Ｄ（上流側電極群）が存在し、これらの電極は、下流側の電極１４Ａ、１４Ｃ（下流側電極群）の作用を補助する。すなわち、下流側の電極１４Ａ、１４Ｃによる電圧印加に起因した圧電体１０の変形により、インクには第１の圧力が加えられる。さらに、上流側の電極１４Ｂ、１４Ｄによる電圧印加に起因した圧電体１０の変形により、インクには第２の圧力が加えられる。インクに対して第１の圧力のみならず、第２の圧力も作用することとなり、より強力な圧力をインクに与えることが可能となる。したがって、下流側の電極１４Ａ、１４Ｃを主電極と位置付けた場合、上流側の電極１４Ｂ、１４Ｄは補助電極と位置付けられる。
【００４４】
図５は、図２（ａ）の矢印Ｃ方向から見たインクジェットヘッド内の圧電体１０に印加される電圧による作用を説明する図である。圧電体１０は、その製造時になされた分極処理（高電圧の印加により自発分極を与える処理）により、白矢印方向（図面上方向）で示した分極が生じている。そして、図４で説明した通り、圧電体１０は、電極１４が配置されている個所を中心として、電圧の印加により点線で示されているように変形する。    
【００４５】
図５においては、インク流路３３のうち、インク流路３３Ａについては容積が減少し、インク流路３３Ｂについては容積が増大している。インク流路３３Ａの上側に位置した二つの対向した第１の下流側電極（第１の主電極）１４Ａ１、１４Ａ２は、（ａ）に示す順パルスをそれぞれの圧電体１０Ａ、１０Ｂに印加する。このとき、第１の下流側電極（第１の主電極）１４Ａ１、１４Ａ２周辺の圧電体１０の部分は、分極方向と同一方向に伸長する。一方、インク流路３３Ａの下側に位置した二つの対向した第２の下流側電極（第２の主電極）１４Ｃ１、１４Ｃ２は、（ｂ）に示す反転パルスをそれぞれの圧電体１０に印加する。このとき、第２の下流側電極（第２の主電極）１４Ｃ１、１４Ｃ２周辺の圧電体１０の部分は、分極方向と逆方向に伸長する。
【００４６】
一方、インク流路３３Ｂの上側に位置した二つの対向した第１の下流側電極（第１の主電極）１４Ａ３、１４Ａ４は、（ｂ）に示す反転パルスをそれぞれの圧電体１０Ｂ、１０Ｃに印加する。このとき、第１の下流側電極（第１の主電極）１４Ａ３、１４Ａ４周辺の圧電体１０の部分は、分極方向と逆方向に収縮する。一方、インク流路３３Ｂの下側に位置した二つの対向した第２の下流側電極（第２の主電極）１４Ｃ３、１４Ｃ４は、（ａ）に示す順パルスをそれぞれの圧電体１０に印加する。このとき、第２の下流側電極（第２の主電極）１４Ｃ３、１４Ｃ４周辺の圧電体１０の部分は、分極方向と同一方向に収縮する。
【００４７】
以上のように、圧電体１０には伸長または収縮というせん断応力が作用し、圧電体１０はせん断変形する。そして各圧電体１０にはその両側面において伸長および収縮という方向の異なるせん断応力が作用する結果、圧電体１０にはそりが生じ、点線で示すように変形することとなる。本例では圧電体１０Ａ、１０Ｃには右側へのそりが生じ、圧電体１０Ｂには左側へのそりが生じている。この結果、本実施形態では、インク流路３３Ａとインク流路３３Ｂのように、隣接したインク流路３３は容積が減少と容積増大という逆の変形が生ずることとなる。
【００４８】
図６は、圧電体１０の平面図であり、等高線により圧電体１０の変形状態をも示している。下流側の電極（主電極）１４Ａ及び１４Ｃによって引き起こされる圧電体１０の変形は実線の等高線Ｄ１で示されており、図５で示したように紙面の表側または裏側に向けて、圧電体１０が変形する。一方、上流側の電極（補助電極）１４Ｂ、１４Ｄによって引き起こされる圧電体１０の変形は点線の等高線Ｄ２で示されており、図５で示したように紙面の表側または裏側に向けて、圧電体１０が変形（せん断変形）する。基本的に等高線Ｄ１と等高線Ｄ２は、同じタイミングにおいては同じ方向に向かった等高線である。
【００４９】
特筆すべきは、一点鎖線で示したＡ−Ａ線がインク流路３３の長手方向に沿った中心線に該当し、等高線Ｄ１と等高線Ｄ２各々の中心、すなわち、二つの変形部分において最も大きく変位した部分が中心線Ａ−Ａ線上にあるということである。このような構成により、主電極１４Ａ及び１４Ｃと補助電極１４Ｂおよび１４Ｄの相互作用の効果が高まると共に、インク滴の噴出制御が容易になる。
【００５０】
本実施形態においては、中心線Ａ−Ａ線が、第１の主電極１４Ａおよび第２の主電極１４Ｃの中間位置並びに、補助電極１４Ｂおよび補助電極１４Ｄの中間位置にある。すなわち、等高線Ｄ１と等高線Ｄ２各々の中心、すなわち、二つの変形部分において最も大きく変位した部分が、二つの下流側電極の中間位置および二つの上流側電極の中間位置に存在する。
【００５１】
上記構成においては、ノズル孔４０ａの中心と、インク流路（オリフィス）３３の中心を通る直線が、せん断変形による最大変位部分が対向する電極（電極１４Ａおよび１４Ｃまたは電極１４Ｂおよび１４Ｄ）間の中心面に含まれる。さらに、下流側の電極（主電極）１４Ａ及び１４Ｃと、上流側の電極（補助電極）１４Ｂ、１４Ｄが、インク流路３３の長手方向に分割された状態で配置されている。したがって、インク流路３３内において、上下左右の３次元方向に対称的に圧力波が偏りなく安定して発生し、インクの流れを制御することが容易となる。
【００５２】
図７は、実施の形態に係るインクジェットヘッド１００を含むインクジェットプリンタ１０００の一実施形態の回路図である。インクジェットプリンタ１０００は、インクジェットヘッド１００と、ステージ位置制御ドライバ２００と、電源・ドライバ制御回路３００と、ヘッドドライバ４００と、インクタンクセンサ５００と、ノズルクリーニング回路６００と、負圧制御・液循環制御回路７００と、ステージ８００とを備える。    
【００５３】
電源・ドライバ制御回路３００はステージ８００の位置信号を受信するとともに、種々の動作信号に基づきインクジェットプリンタ１０００の全体制御を司る。ステージ位置制御ドライバ２００はステージ８００の位置を検知するとともに、電源・ドライバ制御回路３００にステージ８００の位置信号を送出する。電源・ドライバ制御回路３００は、ステージ８００にステージ駆動信号を送出する。ステージ８００には印刷の対象となる対象物が載置され、ステージ駆動信号に基づき、ステージ８００はインクジェットヘッド１００からの所定位置に移動する。
【００５４】
電源・ドライバ制御回路３００は、ノズルのクリーニング信号をノズルクリーニング回路６００に送出する。ノズルクリーニング回路６００は、ノズルのクリーニング信号を受け取ると、所定の洗浄液によるノズルプレート４０の洗浄作用やインクジェットヘッド１００内の減圧作用、インクジェットヘッド１００への送風などにより、インクジェットヘッド１００の洗浄を行う。
【００５５】
さらに電源・ドライバ制御回路３００は、ヘッドドライバ４００にヘッドドライバ信号を送出する。受信したヘッドドライバ信号に基づき、ヘッドドライバ４００は、インクジェットヘッド１００の動作を制御する。インクジェットヘッド１００を駆動するための駆動プログラムは、一般的にヘッドドライバ４００にインストールされているが、プログラムのインストールされる部位や記憶装置は特に限定はされない。
【００５６】
さらに電源・ドライバ制御回路３００は、負圧制御・液循環制御回路７００に、インク制御信号を送出する。インク制御信号を受領したインクタンクセンサ５００は、インクタンクのインクを所定の空気圧により制御し、インクジェットヘッド１００にインクを供給する。
【００５７】
図８（ａ）は主電極（下流側電極）１４Ａ、１４Ｃが、圧電体１０に印加する電圧パルスのタイミングチャートであり、図８（ｂ）は補助電極（上流側電極）１４Ｂ、１４Ｄが、圧電体１０に印加する電圧パルスのタイミングチャートである。図８（ｃ）は電圧パルスが充足する基本的な要件、図８（ｄ）は、電圧パルスが充足する好ましい要件を示す。図８（ｅ）は図８（ａ）の一つの電圧パルスの詳細を示す図であり、図８（ｆ）は図８（ｂ）の一つの電圧パルスの詳細を示す図である。
【００５８】
本タイミングチャートでは、プラス（＋）側への電圧の印加は、圧電体１０の電圧被印加部分の伸長または収縮により、インク流路３３の容積を増大、すなわち膨張させるための膨張パルスであると定義される。一方、マイナス（−）側への電圧の印加は、圧電体１０の電圧被印加部分の伸長または収縮により、インク流路３３の容積を減少、すなわち収縮させるための収縮パルスであると定義される。印加電圧ゼロにおいて、圧電体１０は伸長も収縮もしていない、中立状態である。
【００５９】
ただし、プラス（＋）側電圧およびマイナス（−）側電圧と、インク流路３３の膨張および収縮の関係は固定的なものではなく、逆の関係も存在する（プラス側電圧のとき収縮で、マイナス側電圧のとき膨張）。とにかく、プラス（＋）側電圧の印加時とマイナス（−）側電圧の印加時とでは、圧電体１０の状態が変形のない中立状態とは異なる。    
【００６０】
電圧パルスは、圧電体１０の電圧被印加部分を中立状態から最大まで伸長または収縮した第１の最大変形状態（本図では最大まで伸長）まで変形させる第１のピークと、圧電体１０の電圧被印加部分を中立状態から第１の最大変形状態とは全く逆の第２の最大変形状態（本図では最大まで収縮）まで変形させる第２のピークとを含んでいる。印加電圧が第１のピークからゼロを通過して第２のピークまで変化することで、圧電体１０の電圧被印加部分は伸長または収縮状態から中立状態を経て、収縮または伸長状態となり、これの繰り返しにより圧電体１０は振動することとなる。そして、インク流路３３も膨張と収縮を繰り返すことになる。
【００６１】
主電極１４Ａ、１４Ｃが、圧電体１０に印加する電圧パルスの一周期の時間長さ（波長）がλ１であり、補助電極１４Ｂ、１４Ｄが、圧電体１０に印加する電圧パルスの一周期の時間長さ（波長）がλ２である。このとき、本実施形態では、λ１≧λ２の関係が成立する（図８（ｃ））。
【００６２】
ここで、主電極１４Ａ、１４Ｃが、圧電体１０に印加する電圧パルスについて、図８（ａ）、図８（ｅ）より、以下のように詳細が定義される。
Ｔ０：膨張パルスの印加開始時刻
Ｔ１ａ：膨張パルスの減少開始時刻
Ｔ１：印加電圧がゼロになる時刻および収縮パルスの印加開始時刻
Ｔ１ｂ：収縮パルスの安定化開始時刻
Ｔ２：印加電圧がゼロになる時刻および収縮パルスの印加終了時刻
【００６３】
上記の定義によれば、Ｔ０＜Ｔ１ａ≦Ｔ１≦Ｔ１ｂ＜Ｔ２が成立する（図８（ｃ））。
【００６４】
また、補助電極１４Ｂ、１４Ｄが、圧電体１０に印加する電圧パルスについて、図８（ｂ）、図８（ｆ）より、以下のように詳細が定義される。
ｔ０：膨張パルスの印加開始時刻
ｔ１ａ：膨張パルスの減少開始時刻
ｔ１：印加電圧がゼロになる時刻および収縮パルスの印加開始時刻
ｔ１ｂ：収縮パルスの安定化開始時刻
ｔ２：印加電圧がゼロになる時刻および収縮パルスの印加終了時刻
【００６５】
上記の定義によれば、ｔ０＜t１ａ≦t１≦ｔ１ｂ＜t２が成立する（図８（ｃ））。
【００６６】
また、主電極１４Ａ、１４Ｃが、圧電体１０に印加する電圧パルスは、補助電極１４Ｂ、１４Ｄが、圧電体１０に印加する電圧パルスより先に開始するので、t０＞Ｔ０＝０の式が成立する（図８（ｃ））。
【００６７】
さらに、補助電極１４Ｂ、１４Ｄが、圧電体１０に印加する電圧パルスは、主電極１４Ａ、１４Ｃが、圧電体１０に印加する電圧パルスより先に終了するので、Ｔ２＞t２の式が成立する（図８（ｃ））。
【００６８】
さらに詳細な設定条件として、例えば、補助電極における膨張パルスの減少開始時刻（ｔ１ａ）が、主電極における膨張パルスの減少開始時刻（Ｔ１ａ）と同じか少なくとも後で(ｔ１ａがＴ１ａと同じかまたはｔ１ａがＴ１ａより後）、かつ主電極における収縮パルスの安定化開始時刻（Ｔ１ｂ）と同じか少なくとも先である(ｔ１ａがＴ１ｂと同じかまたはｔ１ａがＴ１ｂより先）ように制御することができる。すなわち、Ｔ１ａ≦ｔ１ａ≦Ｔ１ｂの関係が成立するように制御することができる（図８（ｄ））。
【００６９】
また、さらに詳細な設定条件として、例えば、補助電極における印加電圧がゼロになる時刻および収縮パルスの印加開始時刻（ｔ１）が、主電極における印加電圧がゼロになる時刻および収縮パルスの印加開始時刻（Ｔ１）と同じか少なくとも後(ｔ１がＴ１と同じかまたはｔ１がＴ１より後）であるように制御することができる。すなわち、t１≧Ｔ１の関係が成立するように制御することができる（図８（ｄ））。
【００７０】
また、さらに詳細な設定条件として、例えば、また、補助電極が、圧電体１０に印加する電圧パルスの一周期の時間長さ（波長）は、主電極が圧電体１０に印加する電圧パルスの一周期の時間長さ（波長）の１／３以上かつ２／３以下であるように制御することができる。すなわち、１／３λ１≦λ２≦２／３λ１の関係が成立するように制御することができる（図８（ｄ））。
【００７１】
上記の条件下にあっては、主電極により印加される電圧パルスの１周期の間に、補助電極により印加される電圧パルスの１周期が開始し、終了する。言い換えると、インクの流れの下流側に設けられた主電極１４Ａ、１４Ｃにより電圧パルスが印加される間に、インクの流れの上流側に設けられた補助電極１４Ｂ、１４Ｄにより電圧パルスが印加される。
【００７２】
主電極１４Ａ、１４Ｃ（下流電極群）と、補助電極１４Ｂ、１４Ｄ（上流電極群）は、いずれの電極群も個別に信号制御され、独立してインクを吐出できる関係にある。しかしながら、インク内の圧力波生成においてノズル孔４０ａまでの距離条件が異なっている。この条件下で、インク流路３３内における弱めあう干渉やミストなどの不具合を発生させるクロストークを防止するため、主電極１４Ａ、１４Ｃ（下流電極群）と、補助電極１４Ｂ、１４Ｄそれぞれの同じ電圧印加による同じ波形にて同時変位させるのでなく、例えば、図８（ｃ）、（ｄ）のような関係で電圧を印加することが考えられる。複数の電極群において駆動の「押し引き」（インク流路３３の収縮と膨張）時に相互に弱めあったりせず、最大限効率よくインク滴の吐出を向上させることができる。
【００７３】
また、二つの電圧パルスの組み合わせを調整することで（パルスの大きさの関係、時間軸上の関係等の調整）、種々のインク滴の態様を得ることができ、インクの種類、印刷対象物の種類、印刷環境（温度、湿度、圧力その他）といった、印刷の諸条件の変動に合わせて最適なインク滴の吐出を行うことが可能となる。したがって、今後さらなる進展、拡大が見込まれる、インクジェットプリンタの用途、適用産業分野にも順難に可能なインクジェットヘッド、その駆動方法が提供される。
【００７４】
図７の実施形態を用いて、インク滴の吐出性実験を行った。吐出性評価は、電圧、周波数、デューティ比、吐出間隔を一定とした高速カメラ撮影による標準吐出液の液滴吐出速度の測定により行われた。ここで、標準液はブタノールであり、粘度が３ｃｐ、表面張力が２５×１０−５Ｎ、密度が０．８１（ｇ／ｃｍ３）、沸点１１７℃のものを用いた。
【００７５】
インク滴の吐出において、消費電力を引く抑えるため駆動電圧を下げたり、対象物への塗布効率を上げるためには吐出間隔を短くすることが望まれる。このような性能項目を見極める手段として、標準吐出液の電圧と直進性（速度）の関係を計測した。
【００７６】
電極の比較例として、電極をインク流路にそった全長方向に分割せず作製したヘッドの場合、信号を１００μｓ間隔で電圧１０〜２０Ｖ、周波数２５ｋＨｚの波形信号を入力した場合の標準吐出液（ブタノール）の吐出速度評価を実施した。１Ｖあたりの吐出速度（ｍ/ｓ）は、０．４ｍ／ｓとなった。
【００７７】
一方、全長方向に２分割に電極を分割し、下流側電極と上流側電極に分割し、下流側電極の信号条件を上記と同じままとし、上流側電極の信号条件における周波数を５０〜６０ｋＨｚとした。そして、下流側電極に対し、上流側電極の「押し引き」（収縮・拡張）部分のタイミングを最大１０μｓ以内遅れに合わせて調整した場合、結果は０．５ｍ／Ｖとなり、一つの電極の場合に比較して、よい吐出性が得られた。
【００７８】
本実施形態によれば、１区画の圧力室（一つのインク流路）に対して、個別に駆動制御される分離した少なくとも二つの電極が設けられる。したがって、例えば、主たる役割をなす下流側電極をインク滴吐出のために通常通り駆動し、当該下流側電極の駆動を補助するため、上流側電極を一時的に使用することもできる。また、下流側電極は、圧力室（インク流路）への液のリフィル（充填供給）不足による不安定吐出状態を調整する内圧調整器の代替としても使用することが可能である。
【００７９】
また、本実施形態においては、ノズル孔の中心、各電極による最大変位部、インク流路が一直線上に配置されているため、インク供給口からのインクの流れを乱さず効率的にインクを吐出させることができる。
【００８０】
また、駆動波形の位相、タイミング、駆動電圧・周波数・ＤＵＴＹ比等のパラメータを最適に制御することにより、従来の波形制御に比べ、インクの吐出効率を向上させ、従来方式にて常温で吐出できなかった高粘度液や高速での直進性が得られなかった液体等を吐出させることができる。
【００８１】
なお、個別に電極を駆動させた場合、駆動させていない電極はインク流路の吐出時圧力の計測器としても使用可能である。また、駆動していない時は一方の電極にて液に常時微動を与えノズルの固化を防止する振動を与えることで、待機中におけるノズルつまりを防ぐことが出来る。
【００８２】
本実施形態では、主電極（下流側電極）として二つの電極１４Ａ、１４Ｃが設けられ、補助電極（上流側電極）として二つの電極１４Ｂ、１４Ｄが設けられている。ただし、主電極（下流側電極）として一つの電極１４Ａを設け、補助電極（上流側電極）として一つの電極１４Ｂを設けた場合も、所定の効果が得られる。また、インクの流れ方向に三つ以上の電極を設けた場合も、同様の効果が得られる。
【００８３】
以上、本発明の実施形態について説明したが、本発明は前記実施形態において示された事項に限定されず、特許請求の範囲及び明細書の記載、並びに周知の技術に基づいて、当業者がその変更又は応用することも本発明の予定するところであり、保護を求める範囲に含まれる。
【符号の説明】
【００８４】
１０      圧電体
１２      振動板
１４（１４Ａ、１４Ｂ、１４Ｃ、１４Ｄ）  電圧印加用電極
２０      スペーサ
２１（２１Ａ、２１Ｂ、２１Ｃ、２１Ｄ）  給電部配置用凹部
３２      インク流路形成用切溝
３３      インク流路
３５      インク供給口
４０      ノズルプレート
１００    インクジェットヘッド
２００    ステージ位置制御ドライバ
３００    電源・ドライバ制御回路
４００    ヘッドドライバ
５００    インクタンクセンサ
６００    ノズルクリーニング回路
７００    負圧制御・液循環制御回路
８００    ステージ
１０００  インクジェットプリンタ
【図１】
2013212592.tif 000003
【図２】
2013212592.tif 000004
【図７】
2013212592.tif 000005
【図８】
2013212592.tif 000006
【図９】
2013212592.tif 000007
【図３】
2013212592.tif 000008
【図４】
2013212592.tif 000009
【図５】
2013212592.tif 000010
【図６】
2013212592.tif 000011